(57)【要約】【課題】通風を確保しつつ、遮視できるフェンスを提供する。【解決手段】本発明に係るフェンス１は、互いに間隔をあけて配置した一方及び他方の格子材１３ａ、１３ｂと、格子材取付材１５、５１ａ、５１ｂとを備え、各格子材１３ａ、１３ｂは、凹部１７と、正面一方側コーナー部１９と、背面他方側コーナー部２１と、フィン２３とを有し、一方の格子材１３ａの凹部１７は、格子材取付材１５側で他方の格子材１３ｂ側に設けてあり、一方の格子材１３ａの背面他方側コーナー部２１は、他方の格子材１３ｂのフィンの先端３２と、他方の格子材１３ｂの正面一方側コーナー部１９とを結ぶ線３７より他方側に位置し、他方の格子材１３ｂのフィン２３は、一方の格子材１３ａの凹部の壁面２９から離れている。【選択図】図１
2019065651.tif 000002
【特許請求の範囲】
【請求項１】
互いに間隔をあけて配置した一方及び他方の格子材と、格子材取付材とを備え、格子材は、凹部と、正面一方側コーナー部と、背面他方側コーナー部と、フィンとを有し、一方の格子材の凹部は、格子材取付材側で他方の格子材側に設けてあり、一方の格子材の背面他方側コーナー部は、他方の格子材のフィンの先端と、他方の格子材の正面一方側コーナー部とを結ぶ線より他方側に位置し、他方の格子材のフィンは、一方の格子材の凹部の壁面から離れていることを特徴とするフェンス。
【発明の詳細な説明】
【技術分野】
【０００１】
本発明は、フェンスに関する。
【背景技術】
【０００２】
非特許文献１には、複数の格子材を互いに間隔をあけて配置したフェンスが開示されている。
【先行技術文献】
【非特許文献】
【０００３】
【非特許文献１】第１０８８頁  「三協アルミ  エクステリア建材  ウォールエクステリアカタログ  ２０１７→２０１８」カタログＮｏ．ＳＴＷＪ０４５５Ａ  三協立山株式会社  三協アルミ社  ２０１７年２月発行
【発明の概要】
【発明が解決しようとする課題】
【０００４】
しかし、非特許文献１のフェンスは、通風は充分であるが、遮視が充分でなく、正面側（通路側）から家側が見えるという問題があった。
【０００５】
そこで、本発明は、通風を確保しつつ、遮視できるフェンスの提供を目的とする。
【課題を解決するための手段】
【０００６】
請求項１に記載の発明は、互いに間隔をあけて配置した一方及び他方の格子材と、格子材取付材とを備え、格子材は、凹部と、正面一方側コーナー部と、背面他方側コーナー部と、フィンとを有し、一方の格子材の凹部は、格子材取付材側で他方の格子材側に設けてあり、一方の格子材の背面他方側コーナー部は、他方の格子材のフィンの先端と、他方の格子材の正面一方側コーナー部とを結ぶ線より他方側に位置し、他方の格子材のフィンは、一方の格子材の凹部の壁面から離れていることを特徴とするフェンスである。
【発明の効果】
【０００７】
請求項１に記載の発明によれば、一方及び他方の格子材間の通風を確保しつつ、遮視できる。
【図面の簡単な説明】
【０００８】
【図１】本発明の実施の形態に係るフェンスであって、図３に示すＡ−Ａ断面図である。
【図２】図３に示すＢ−Ｂ断面図である。
【図３】本発明の実施の形態に係るフェンスの一部を通路側から見た正面図である。
【図４】本発明の実施の形態に係るフェンスの組立工程を示す斜視図である。
【発明を実施するための形態】
【０００９】
以下に、添付図面を参照して本発明の実施の形態を説明する。
図３に示すように、本実施の形態に係るフェンス１は、フェンス本体３と、フェンス本体３を取付けた支柱５とを備えている。図３及び図２に示すように、フェンス本体３は、笠木７と、下弦材９と、笠木７及び下弦材９の左右端部に取付けてある縦材１１とを備え、笠木７と下弦材９との間には、左右に間隔をあけて配置された一方の格子材１３ａと他方の格子材１３ｂが、長手方向の略中央位置と上端と下端とで格子材取付材１５、５１ａ、５１ｂに取付けられている。
【００１０】
図１に示すように、一方の格子材１３ａと他方の格子材１３ｂは、互いに隣り合って配置してある。一方及び他方の格子材１３ａ、１３ｂは、押出形材であり、同一の構成及び形状としている。
一方及び他方の格子材１３ａ、１３ｂは、各々凹部１７と、正面一方側コーナー部１９と、背面他方側コーナー部２１と、フィン２３とを有し、全体的に正面側（通路側）面２５を上底とし、背面側（家側）面２７を下底とする略台形状を成した中空形材である。
一方の格子材１３ａの凹部１７は、格子材取付材１５、５１ａ、５１ｂ側で他方の格子材１３ｂ側に設けて、正面側に凹んで形成されている。凹部１７の壁面２９は、正面側壁面２９ａと一方側壁面２９ｂから構成され、凹部１７の他方の格子材１３ｂ側の端部は、背面他方側コーナー部２１である。
他方の格子材１３ｂの正面一方側コーナー部１９は、正面側面２５の一方の格子材１３ａ側の端部である。
一方の格子材１３ａの正面側面２５の他方の格子材１３ｂ側の端部は、正面他方側コーナー部３０である。
他方の格子材１３ｂのフィン２３は、背面側面２７の一方側にある基端３１から一方の格子材１３ａの凹部１７の一方側壁面２９ｂに向かって延出してあり、一方の格子材１３ａの凹部の壁面２９から離れている。他方の格子材１３ｂのフィンの先端３２は、一方の格子材１３ａの凹部１７の正面側壁面２９ａに向かって曲げてある。
【００１１】
他方の格子材１３ｂには、フィン２３の基端３１から正面側に向かい、且つ正面側ほど一方の格子材１３ａから離れるようにして傾斜して正面一方側コーナー部１９に連続する一方側対向面３３が形成してある。
一方の格子材１３ａには、背面他方側コーナー部２１から正面側に向かい、且つ正面側ほど他方の格子材１３ｂから離れるようにして傾斜して正面他方側コーナー部３０に連続する他方側対向面３５が形成してある。
一方の格子材１３ａの他方側対向面３５と他方の格子材１３ｂの一方側対向面３３は、正面側から背面側に向けて、一方及び他方の格子材１３ａ、１３ｂの間隔を漸次狭めてある。
【００１２】
一方及び他方の格子材１３ａ、１３ｂにおいて、一方の格子材１３ａの背面他方側コーナー部２１は、他方の格子材１３ｂのフィンの先端３２と、他方の格子材１３ｂの正面一方側コーナー部１９とを結ぶ線３７より他方側に位置するようにして配置してある。
【００１３】
図２に示すように、一方及び他方の格子材１３ａ、１３ｂの上下小口には、格子材キャップ３９を嵌めてある。
一方及び他方の格子材１３ａ、１３ｂの長手方向の略中央位置、上端及び下端に取付けた格子材取付材１５、５１ａ、５１ｂのうちの略中央位置の格子材取付材１５には、長手方向に亘って目板１５ａが嵌め込んであり、左右小口には、格子材取付材キャップ１５ｂがネジ止めしてある。
【００１４】
フェンス本体３は、支柱５の正面側の上部に上ボルト４７ａで固定してある上ブラケット４９ａと、正面側の下部に下ボルト４７ｂで固定してある下ブラケット４９ｂとに係合して、支柱５の正面側に取付けてある。支柱５の上小口には、支柱キャップ５ａが嵌め込んである。
【００１５】
次に、実施の形態に係るフェンス１の施工について説明するが、まずフェンス本体３の施工について説明する。尚、フェンス本体３は、縦材１１を除いた部分を、工場で組立てた後に、施工現場に搬入される。
図４（ａ）の一部拡大図に示すように、一方及び他方の格子材１３ａ、１３ｂの上下小口に格子材キャップ３９をそれぞれ嵌める。
次に、上下小口に格子材キャップ３９を嵌めた一方及び他方の格子材１３ａ、１３ｂを、フィン２３を一方側に向けて並べて配置する。尚、図１に示すように、一方の格子材１３ａの背面他方側コーナー部２１が、他方の格子材１３ｂのフィンの先端３２と、他方の格子材１３ｂの正面一方側コーナー部１９とを結ぶ線３７より他方側に位置するように、互いに間隔をあけて配置する。また、他方の格子材１３ｂは、他方の格子材１３ｂのフィンの先端３２を、一方の格子材１３ａの凹部の壁面２９から離して配置する。
図４（ａ）に示すように、互いに間隔をあけて配置した一方及び他方の格子材１３ａ、１３ｂの長手方向の略中央位置に格子材取付材１５をリベット止めする。一方及び他方の格子材１３ａ、１３ｂの上端には、格子材取付材５１ａをネジ止めし、下端には、格子材取付材５１ｂをネジ止めする。その後、長手方向の略中央位置の格子材取付材１５に目板１５ａを嵌め込み、格子材取付材１５の左右小口に格子材取付材キャップ１５ｂをネジ止めする。
図４（ｂ）に示すように、一方及び他方の格子材１３ａ、１３ｂの上端にネジ止めした格子材取付材５１ａには、笠木７をネジ止めし、一方及び他方の格子材１３ａ、１３ｂの下端にネジ止めした格子材取付材５１ｂには、下弦材９をネジ止めする。
以上により、図３に示す、縦材１１を除くフェンス本体３の組立が完了する。
【００１６】
図２に示すように、支柱５には、正面側の上部に上ブラケット４９ａを上ボルト４７ａで固定し、正面側の下部に下ブラケット４９ｂを下ボルト４７ｂで固定する。支柱５に取付けられた上ブラケット４９ａにフェンス本体３の笠木７を、支柱５に取付けられた下ブラケット４９ｂにフェンス本体３の下弦材９を係合させて、フェンス本体３を支柱５の正面側に取付ける。一方、図３に示すように、フェンス本体３の笠木７及び下弦材９の左右端部には、縦材１１を取付ける。
以上により、図３に示すフェンス１の施工が完了する。
【００１７】
実施の形態の作用効果について説明する。
まず、遮視について説明する。
図１に示すように、フェンス１は、一方の格子材１３ａの背面他方側コーナー部２１が、他方の格子材１３ｂのフィンの先端３２と、他方の格子材１３ｂの正面一方側コーナー部１９とを結ぶ線３７より他方側に位置するようにして一方及び他方の格子材１３ａ、１３ｂが配置してあるので、フェンス１を、正面側のいずれの方向から見ても背面側への視線を遮ることができる。
例えば、フェンス１を、正面側Ａ１方向から見た場合には、一方の格子材１３ａの正面側面２５と他方の格子材１３ｂの一方側対向面３３とで、正面側から背面側への視線を遮ることができる。
フェンス１を、正面側Ａ２方向から見た場合には、他方の格子材１３ｂのフィン２３と一方側対向面３３、一方の格子材１３ａの他方側対向面３５とで、正面側から背面側への視線を遮ることができる。
フェンス１を、正面側Ａ３方向から見た場合には、他方の格子材１３ｂの正面側面２５と正面一方側コーナー部１９と、一方の格子材１３ａの他方側対向面３５とで、正面側から背面側への視線を遮ることができる。正面側Ａ３方向は、線３７に沿う方向である。
尚、一方及び他方の格子材１３ａ、１３ｂを、一方の格子材１３ａの背面他方側コーナー部２１が、他方の格子材１３ｂのフィンの先端３２と、他方の格子材１３ｂの正面一方側コーナー部１９とを結ぶ線３７より一方側に位置するようにして配置した場合には、正面側Ａ３方向から見ると、他方の格子材１３ｂのフィン２３と、一方の格子材１３ａの凹部の壁面２９の隙間を通じて、正面側から背面側が見える虞がある。
そのため、フェンス１は、一方の格子材１３ａの背面他方側コーナー部２１が、他方の格子材１３ｂのフィンの先端３２と、他方の格子材１３ｂの正面一方側コーナー部１９とを結ぶ線３７より他方の格子材１３ｂ側に位置することで、いずれの方向から見ても遮視できる。
次に、通風について説明する。
フェンス１は、他方の格子材１３ｂのフィン２３が、一方の格子材１３ａの凹部の壁面２９から離れているので、正面側から背面側に吹く風は、一方の格子材１３ａの他方側対向面３５と他方の格子材１３ｂの一方側対向面３３との間を通り、他方の格子材１３ｂのフィン２３と一方の格子材１３ａの凹部の壁面２９との隙間を通って背面側へ抜ける。従って、フェンス１は通風を確保できる。
以上のように、本実施の形態に係るフェンス１は、通風を確保しつつ、遮視できる。
【００１８】
図１に示すように、フェンス１は、一方の格子材１３ａの他方側対向面３５と他方の格子材１３ｂの一方側対向面３３が、正面側から背面側に向けて、一方及び他方の格子材１３ａ、１３ｂの間隔を漸次狭めてあるので、正面側から背面側に向かって風を案内しやすい。その後、風が他方の格子材１３ｂのフィン２３と一方の格子材１３ａの凹部の壁面２９との隙間を通って背面側へ風が抜ける。そのため、フェンス１は風が通りやすい。
図１に示すように、他方の格子材１３ｂは、フィンの先端３２が曲げてあるので、遮視のためのフィン２３の長さを短くできる。
【００１９】
本発明は、上述した実施の形態に限らず、本発明の要旨を逸脱しない範囲で種々変形可能である。
例えば、一方及び他方の格子材１３ａ、１３ｂは、横にして上下に間隔をあけて配置してもよい。
他方の格子材１３ｂのフィンの先端３２は、一方の格子材１３ａの背面他方側コーナー部２１が、他方の格子材１３ｂのフィンの先端３２と、他方の格子材１３ｂの正面一方側コーナー部１９とを結ぶ線３７より他方側に位置する範囲であれば、正面側に向かって曲げることができる。尚、他方の格子材１３ｂのフィンの先端３２を、一方の格子材１３ａの凹部１７の正面側壁面２９ａに向かって曲げる角度は制限されない。
凹部の壁面２９は、正面側壁面２９ａと一方側壁面２９ｂの２面で形成することに限らず、連続する湾曲面としてもよい。
格子材取付材１５、５１ａ、５１ｂは、３つ設けることに限らず、長手方向の略中央位置の格子材取付材１５だけであってもよいし、上下端の格子材取付材５１ａ、５１ｂの２つであってもよいし、格子材取付材１５、５１ａ、５１ｂの取付け位置や取付ける数は、制限されない。
【符号の説明】
【００２０】
１  フェンス
１３ａ  一方の格子材
１３ｂ  他方の格子材
１５、５１ａ、５１ｂ  格子材取付材
１７  凹部
１９  正面一方側コーナー部
２１  背面他方側コーナー部
２３  フィン
２９  凹部の壁面
３２  フィンの先端
３７  線
【図１】
2019065651.tif 000003
【図２】
2019065651.tif 000004
【図３】
2019065651.tif 000005
【図４】
2019065651.tif 000006